(57)【特許請求の範囲】
【請求項１】
多数のキー入力部が設けられた第１ケーシングと、文字及び画像を表示できるディスプレイ部が設けられた第２ケーシングを備えた移動端末機において、
一端部が前記第１ケーシングとの折畳み可能に前記第１ケーシングにヒンジ結合され、他端部が前記第２ケーシングの一領域に接触するように連結する連結部材と、
前記第２ケーシングの一領域と前記連結部材の他端部との間に設けられ、前記第２ケーシングを前記連結部材との接触面に沿って回動させる回動手段と、
前記第２ケーシングが回動するとき、前記第２ケーシングの回動方向を感知してその結果値を出力する水平／垂直検出部と、
前記水平／垂直検出部の検出結果を貯蔵する方向情報貯蔵手段と、
前記方向情報貯蔵手段に貯蔵された検出結果に基づいて、前記ディスプレイ部の回動状況を確認することにより、前記ディスプレイ部に表示されるイメージの水平方向と垂直方向の解像度を選択的に変換させる信号処理装置を含み、
前記回動手段は、
前記連結部材の他端部の板面を貫通する軸受用孔と、前記軸受用孔と互いに対応するよう前記第２ケーシングに貫通形成された回動軸孔と、前記第２ケーシングが前記連結部材との接触面に沿って回動可能であるよう前記軸受用孔と前記回動軸孔に挟まれる回動軸部材と、前記回動軸部材と前記第２ケーシングの外面との間に設けられて前記第２ケーシングの回動位置を制限する回動制限手段を含み、
前記回動軸部材は、
円筒状に形成された回動軸部と、前記回動軸部の一端部に形成されて前記回動軸部が前記第２ケーシングから離脱することを防ぐためのフック部と、前記回動軸部の他端部で回動軸部の半径方向に延長して形成されたカバー部を含み、
前記回動制限手段は、
前記カバー部に前記第２ケーシングに向けて突出した制限突起と、前記制限突起と互いに接触して前記第２ケーシングの回動を制御するよう、前記第２ケーシングの板面に前記カバー部に向けて突出した位置制限部材であり、
前記回動軸部の側面には、前記第１ケーシング及び前記第２ケーシングを電気的に連結する連結線を、前記制限突起及び前記位置制御部材の間で通過するように収容する連結線通過孔が形成され、
前記第２ケーシングが水平位置及び垂直位置を超えて回動することが制限され、かつ、前記第２ケーシングの回動による前記連結線通過孔を通過する連結線のもつれが防止されるように、前記制限突起及び前記位置制御部材が、交互に９０度の間隔で設けられていることを特徴とする移動端末機。
【請求項２】
前記信号処理装置から変形されたイメージを提供され、前記ディスプレイ部に表示するディスプレイ制御部をさらに含むことを特徴とする請求項１に記載の移動端末機。
【請求項３】
前記信号処理手段は、
前記ディスプレイ部に表示されるイメージを提供する応用プログラムモジュール、
前記第２ケーシングの回動に従って前記ディスプレイ部に入力されるイメージを前記応用プログラムから提供され、前記水平方向と垂直方向への解像度を変形するビデオ信号生成部、及び
前記ビデオ信号生成部から変形されたイメージデータを同期信号とともに出力する信号出力部を含むことを特徴とする請求項１に記載の移動端末機。
【請求項４】
前記信号処理装置は、前記方向情報貯蔵手段に貯蔵されたディスプレイ部の回転状況を随時点検し、これに符合するイメージを提供することを特徴とする請求項１に記載の移動端末機。
【発明の詳細な説明】
【０００１】
【発明の属する技術分野】
本発明は移動端末機に関し、より詳しくはディスプレイ部の水平及び垂直位置を変換してディスプレイ部に表示可能な画像の横と縦の大きさを変換可能にすることができる移動端末機に関する。
【０００２】
【従来の技術】
現代は通信産業の発達により移動端末機を用いる人口が多くなり、殆ど全ての人達が移動中にも他人と通話することができる。
【０００３】
さらに、最近の移動端末機は計算機機能、電子手帳機能、カレンダー機能等を行うことができるのは勿論インターネットと連結が可能であり、移動中にも多様な情報の提供を受けることができ、使用者により多い便宜を提供している。さらに、最近の移動端末機はＭＰＥＧ４のような動画像ファイルを貯蔵することができるので、移動端末機を介して映画及びアニメーション等を場所に拘らず視聴することができる。
【０００４】
このような従来の移動端末機においては、ディスプレイ部に表示される画像の大きさがディスプレイ部に走査される垂直信号と水平信号の比率に従って一定に表示される。ところが、一般的な移動端末機のディスプレイ部のディメンション（Dimension）は横の大きさ（水平）が縦の大きさ（垂直）より小さいが、映画等をディスプレイする画面のディメンションは移動端末機のディスプレイ部とは逆に横の大きさ（水平）が縦の大きさ（垂直）より大きい。それにより、一般的な従来の移動端末機の場合においては、ディスプレイ部の全体を介して画像を見ることができず、ディスプレイ部の一部分を介してのみ動画像等のコンテンツを視聴するため、動画像等のコンテンツを映画でのような画面比率で視聴することができない。
【０００５】
【発明が解決しようとする課題】
前記のような従来の問題点を解決するため、本発明はディスプレイ部を垂直及び水平方向に回動させることができるようにし、ディスプレイ部の機構的な回動に従いディスプレイ部に表示される画像の大きさを変換させ、動画像等のコンテンツを容易に視聴できるようにする移動端末機を提供することを目的とする。
【０００６】
【課題を解決するための手段】
本発明は多数のキー入力部が設けられた第１ケーシングと、文字及び画像を表示できるディスプレイ部が設けられた第２ケーシングを備えた移動端末機に関し、一端部が前記第１ケーシングとの折畳み可能に前記第１ケーシングにヒンジ結合され、他端部が前記第２ケーシングの一領域に接触するように連結する連結部材と、前記第２ケーシングの一領域と前記連結部材の他端部との間に設けられ、前記第２ケーシングを前記連結部材との接触面に沿って所定の角度の範囲内で回動させる回動手段と、前記回動手段により前記第２ケーシングが回動される場合、前記ディスプレイ部に表示されるイメージの縦・横の比率を変換する信号処理装置を含むことを特徴とする。
【０００７】
【発明の実施の形態】
以下、本発明に係る移動端末機に対する好ましい実施の形態を図面に基づき詳しく説明すれば次の通りである。
【０００８】
図１及び図２は、本発明に係る移動端末機の背面図であり、図３は、図１のIII−III線に沿う部分拡大側断面図である。図３は、説明の便宜上連結部材３０の他端部と第２ケーシング２０を連結する回動手段４０を誇張して表示している。
【０００９】
以下、図面を参照しながら、本発明に係る移動端末機のディスプレイ部が回転する機械的メカニズムを検討する。
本発明の移動端末機は、電源バッテリ１１及びキー入力部１３が備えられた第１ケーシング１０と、ディスプレイ部２１が設けられた第２ケーシング２０と、第１ケーシング１０と第２ケーシング２０との間に設けられ、第１ケーシング１０と第２ケーシング２０を連結する連結部材３０を含んで構成されている。連結部材３０の一端部３１は、第１ケーシング１０と折畳み可能にヒンジ結合されており、他端部３３は第２ケーシング２０が所定の角度の範囲内で回動可能に第２ケーシング２０の一領域に連結される。
【００１０】
第２ケーシング２０を回動させるための回動手段４０は、連結部材３０の他端部３３に形成された軸受用孔（bearing hole）４１と、軸受用孔４１と対応するよう第２ケーシング２０に形成された回動軸孔４３と、軸受用孔４１と回動軸孔４３を互いに連結するように設けられて第２ケーシング２０を回動させる回動軸部材４５を含んで構成する。
【００１１】
前記回動軸部材４５は、軸受用孔４１と回動軸孔４３を互いに連結するように所定の長さを有する円筒状の回動軸部４７と、回動軸部４７の一端部の周縁方向に沿って形成され第２ケーシング２０と結合されるフック部４９と、回動軸部４７の他端部で回動軸部の半径方向に延長形成されたカバー部５１を有する。
【００１２】
ここで、通常の回動軸部４７の円筒領域には第１ケーシング１０と第２ケーシング２０を電気的に連結するための連結線５９が通過するように連結線通過孔５３が形成されている。カバー部５１は、回動軸部４７の円筒領域を遮断するように形成して外部からの異物の流入を遮断することができるので、装飾的な効果を提供することも可能である。
【００１３】
さらに、回動手段４０には回動軸部材４５と第２ケーシング２０との間に設けられ、第２ケーシング２０の回動位置を制限する位置制限手段がさらに設けられている。位置制限手段は、回動軸部材４５のカバー部５１で第２ケーシング２０の外面に向けて突出するように設けられ、第２ケーシング２０の回動位置を制限する制限突起５５と、第２ケーシング２０の外面に突出形成され、制限突起５５と互いに接触する位置制限部材（ストッパー）５７で構成される。これらの制限突起５５と位置制限部材５７は、所定の以上に加えられる回動力により第２ケーシング２０が水平位置及び垂直位置を外れることを制限するため９０度の間隔で交互に設けられている。このように位置制限手段を設けて第２ケーシング２０の回転位置及び回転方向を制限することにより、第１ケーシング１０と第２ケーシング２０を連結する連結線５９のもつれを防ぐことができる。
【００１４】
図４は、本発明に係る移動端末機の動作状態図である。この図面に示されているように、本発明の移動端末機は第２ケーシング２０に所定の力を加えて時計方向（図面に→方向）に回動させると、第２ケーシング２０のディスプレイ部２１が９０度回動して水平方向に置かれる。これとは逆に、第２ケーシング２０に所定の力を反時計方向に加え第２ケーシング２０を回動させると、第２ケーシング２０のディスプレイ部２１が反時計方向に回動して垂直方向に置かれることになる。このように、ディスプレイ部２１の位置が９０度回動して水平方向及び垂直方向に置かれるのを可能にするのは、回動手段４０を構成する位置制御手段の制限突起５５と位置制限部材５７によるものである。
【００１５】
前述の実施の形態では、制限突起５５と位置制限部材５７により第２ケーシング２０の回動位置及び回動方向を制限しているが、第２ケーシング２０と連結部材３０との間に所定の力を加える間にのみ第２ケーシング２０を回動させることができる弾性加圧回動ボタン等、多様な制限手段により第２ケーシング２０の回動位置を制限することができるのは勿論である。
【００１６】
さらに、前記回動手段４０に電気的モーターを取り付け、前記電気的モーターの動作を制御する特定のボタンを別に設けるか、又は携帯電話の既存のボタンにプログラミングを介して機能を与えれば、前記ディスプレイ手段は特定のキーの操作を介して自動的に回動するように構成することもできる。
【００１７】
図５は、本発明に基づき第２ケーシングが回動した場合、ディスプレイ部に表示されるイメージが縦・横の比率が変更されて表示されるようにする電子的メカニズムを説明するためのブロック図を示している。
【００１８】
本発明に係る移動端末機は、ディスプレイ手段が如何なる方向に回転したのかを感知する水平／垂直検出部１０７、水平／垂直検出部１０７の検出結果を貯蔵する方向情報貯蔵手段１０１、ディスプレイ手段に表示されるイメージの水平・垂直の比率を変換させる信号処理装置１００、外部から操作信号が入力されるキー入力部１０３、及び信号処理装置１００からイメージデータと制御信号を受信し、ディスプレイ手段にイメージを表示するディスプレイ制御部１０５を含む。
【００１９】
さらに、本実施の形態での移動端末機はディスプレイ部２１に表示される画像に従い外部に音声信号を提供するため、データ変換を行うコデック１０９と、ディジタル信号をアナログ信号に変換するＤ／Ａ変換部１１１と、変換された信号を聴覚信号で提供するスピーカー部１１３がさらに含まれている。
【００２０】
ここで、水平／垂直検出部１０７は第２ケーシング２０が回動するとき、第２ケーシング２０の回動方向を感知して第２ケーシング２０の回動位置に伴う感知値を出力する回動感知センサーを含む。
【００２１】
そして、信号処理装置１００は、動作プログラムに従いシステムの各々の構成要素の連動を制御する制御部１２１、ディスプレイ手段に実際に表示される画面を制御する応用プログラムモジュール１２２、ディスプレイ手段に表示されるイメージの縦・横の比率を変換することにより、変換されたイメージを生成するビデオ信号生成部１２３、及び変換されたイメージ等がディスプレイ手段に正しく表示できるようにする同期信号を生成し、この同期信号とともに水平・垂直の比率が変形されたイメージに関するデータ情報をディスプレイ制御部１０５に出力する信号出力部１２４を含む。
【００２２】
このような構成を有する本発明の移動端末機の動作関係を説明すると、先ず図４に示されているように、第２ケーシング２０に時計方向に所定の力を加えれば第２ケーシング２０が回動軸部４７に沿って回動することになる。これに従い、垂直位置にあったディスプレイ部２１が水平位置に変換される。さらに、このような回動過程は電気的モーターを備えて自動にできるということは前述の通りである。
【００２３】
このようにディスプレイ部２１が回転された場合、水平／垂直検出部１０７はディスプレイ部２１の回転の可否を検知し、その結果値を信号処理装置１００を経て方向情報貯蔵手段１０１に貯蔵させる。
【００２４】
そうすると、信号処理装置１００はディスプレイ部２１が回転した事実を確認した後、現在ディスプレイ部２１に表示される応用プログラムのイメージの水平・垂直の解像度を調整することになるが、具体的には先ず制御部１２１が応用プログラムモジュール１２２で現在ディスプレイされるイメージを呼び込み、これをビデオ信号生成部１２３を介して水平・垂直の解像度の比率を調整することになる。
【００２５】
図６を参照しながら、本発明に係るディスプレイ部の水平位置及び垂直位置に伴うディスプレイ部の表示可能な画像領域を説明すれば、この図面に示されているように、本実施の形態でのディスプレイ部２１には水平方向にＭ個のセルと、垂直方向にＮ個のセルが設けられている。図６（ａ）に示されているディスプレイ部２１に表示された画像領域は、回動手段４０に従い第２ケーシング２０のディスプレイ部２１が水平方向に回動したときの画像領域を示す状態図である。このようにディスプレイ部２１が水平位置に置かれることになると、Ｍ個の水平セルとＮ個の垂直セルが全て画像を表示できるようになるので、映画、動画像及びコンテンツ等を比較的に大きい画面で視聴することができる。
【００２６】
このとき、Ｍ個の水平セルとＮ個の垂直セルが２３４対１６０の比率に合うように構成されているものと仮定すれば、ディスプレイ部２１を垂直方向に回動させたときディスプレイ部２１で表示可能な画像領域の大きさが分かる。図６（ｂ）に示されているように、ディスプレイ部２１が垂直位置に置かれることになると、Ｎ個の垂直方向のセルが水平位置に変換されてＭ個の水平方向のセルが垂直位置に変換される。このとき、図６（ｂ）の水平方向のセルに対する垂直方向のセルの比率を、例えば１６０／２３４に定め、水平方向の表示可能なセル数をＮであるとすれば、図６（ｂ）の垂直方向のセルで画像表示可能なセルの数を計算することができる（例えば、２３４：１６０＝Ｎ：ｘにして計算すれば、垂直方向のセル数ｘは、１６０Ｎ／２３４になる。）。勿論、画像領域に従う水平方向と垂直方向の比率を前述の比率と異なるように設ければ、ディスプレイ部に表示できる画像領域の大きさも異なるようにすることができる。
【００２７】
ビデオ信号生成部１２３により水平・垂直に変換されたイメージ情報は、信号出力部１２４を経てディスプレイ制御部１０５に提供される。ここで、信号出力部１２４がこのように変換されたイメージ情報を出力するとき、水平同期信号と垂直同期信号を同時にディスプレイ制御部１０５に提供することにより、変形された比率でディスプレイ装置に完璧にイメージを表すことができるようにする。
【００２８】
前述の実施の形態では、水平方向及び垂直方向にディスプレイ部を位置させておいた場合のいずれにおいても、映画、動画像及びコンテンツ等を視聴できるように構成されていることを説明しているが、ディスプレイ部が水平に位置する場合においては映画、動画像及びコンテンツ等を視聴する用途に用い、ディスプレイ部が垂直に位置する場合においては移動端末機に用いることができるように限定できるのは勿論である。
【００２９】
【発明の効果】
前述のように、本発明に係る移動端末機によると、ディスプレイ部の位置を機構的に変換させることができ、これに伴いディスプレイ部に表示される画像の大きさを変換させることができ、映画、動画像及びコンテンツ等をより広い画像で視聴することができるという効果を得ることができる。
【００３０】
なお、本発明について、好ましい実施の形態を基に説明したが、これらの実施の形態は、例を示すことを目的として開示したものであり、当業者であれば、本発明に係る技術思想の範囲内で、多様な改良、変更、付加等が可能である。このような改良、変更等も、特許請求の範囲に記載した本発明の技術的範囲に属することは言うまでもない。
【図面の簡単な説明】
【図１】本発明に係る移動端末機の背面図である。
【図２】本発明に係る移動端末機の背面図である。
【図３】図１のIII−III線に沿う部分拡大側断面図である。
【図４】本発明に係る移動端末機の作動状態図である。
【図５】本発明に係るディスプレイ部の画像変換に従う概略的なブロック図である。
【図６】本発明に係るディスプレイ部の画像変換に従う表示状態図である。
【符号の説明】
１０  第１ケーシング
２０  第２ケーシング
２１  ディスプレイ部
３０  連結部材
４０  回動手段
４１  軸受用孔
４３  回動軸孔
４５  回動軸部材
４７  回動軸部
４９  フック部
５１  カバー部
５３  連結線通過孔
５５  制限突起
５７  位置制限部材
１００  信号処理装置
１０７  水平／垂直検出部
【図１】
0003816839.tif 000002
【図２】
0003816839.tif 000003
【図３】
0003816839.tif 000004
【図４】
0003816839.tif 000005
【図５】
0003816839.tif 000006
【図６】
0003816839.tif 000007